(57)【要約】    【構成】  コントローラ１２は、複数の機器（１６ａ〜１６ｍ，１８ａ〜１８ｃおよび２０ａ〜２０ｃ）の１つである第１機器を操作する画面が表示されている状態で複数の機器の別の１つである第２機器に向けられた特定信号を入力したとき、第２機器が第１機器に優先するか否かを判別する。判別結果が肯定的であるとき第１操作画面上の操作状態に関係なく第１操作画面を第２機器を操作する画面に更新し、判別結果が否定的であるとき第１操作画面上の操作が終了した後で第１操作画面を第２操作画面に更新する。    【効果】  第２機器が第１機器に優先する場合は第１機器の制御を中断して第２機器を先に制御し、そうでない場合は第１機器の制御が終了した後で第２機器を制御することができる。また、いずれの場合も画面更新のために第２機器の識別子を手入力する必要がないので、第２機器の制御を素早く開始することができる。【選択図】  図１
2005151197.tif 000002
【特許請求の範囲】
【請求項１】
複数の機器のいずれか１つである第１機器を操作する第１操作画面を表示する表示手段、
前記第１操作画面が表示されている状態で前記複数の機器のうち前記第１機器と異なる第２機器に向けられた特定信号を入力したとき前記第２機器が前記第１機器に優先するか否かを判別する判別手段、
前記判別手段の判別結果が肯定的であるとき前記第１操作画面上の操作状態に関係なく前記第１操作画面を前記第２機器を操作する第２操作画面に更新する第１更新手段、および
前記判別手段の判別結果が否定的であるとき前記第１操作画面上の操作が終了した後に前記第１操作画面を前記第２操作画面に更新する第２更新手段を備える、機器制御装置。
【請求項２】
前記複数の機器の各々には優先度が割り当てられ、
前記判別手段は前記第２機器に割り当てられた優先度が前記第１機器に割り当てられた優先度よりも高いか否かを判別する第１優先度判別手段を含む、請求項１記載の機器制御装置。
【請求項３】
前記特定信号は複数の優先度のいずれか１つを示す優先度情報を含み、
前記判別手段は前記優先度情報が示す優先度が閾値を上回るか否かを判別する第２優先度判別手段を含む、請求項１または２記載の機器制御装置。
【請求項４】
前記特定信号はアラーム検出を示す第１イベント情報および前記アラーム検出以外のイベント発生を示す第２イベント情報のいずれか１つをさらに含み、
前記第１イベント情報に対応する優先度情報が示す優先度は前記閾値を上回る、請求項３記載の機器制御装置。
【請求項５】
前記複数の機器は監視カメラを含み、
前記第１イベント情報を含む特定信号は前記監視カメラに向けられる、請求項３または４記載の機器制御装置。
【請求項６】
前記第２更新手段は、前記第２機器を示す機器情報をメモリに書き込む書き込み手段、および前記第１操作画面上の操作が終了した後に前記メモリに格納された機器情報に基づいて前記第２操作画面を表示する第２操作画面表示手段を含む、請求項１ないし５のいずれかに記載の機器制御装置。
【請求項７】
前記複数の端末を複数のグループに分割する分割手段、および
前記第２操作画面が表示されている状態で特定操作が行われたとき前記第２操作画面を前記第２機器と同じグループに属する全ての機器を一括して操作する第３操作画面に更新する第３更新手段をさらに備える、請求項１ないし６のいずれかに記載の機器制御装置。
【請求項８】
請求項１ないし７のいずれかに記載の機器制御装置を備え、前記複数の機器は監視カメラを含む、監視カメラシステム。
【発明の詳細な説明】
【技術分野】
【０００１】
この発明は、機器制御装置に関し、特にたとえば、カメラやＶＣＲなど各種の映像機器を遠隔制御する、機器制御装置に関する。
【背景技術】
【０００２】
従来のこの種の機器制御装置の一例が、特許文献１に開示されている。この従来技術は、コントローラと、カメラ、マルチプレクサ、タイムラプスＶＣＲなど複数の映像機器とを備える。複数の映像機器の各々には、カテゴリコードおよびアドレスが設定される。コントローラは、所望のコマンドを所望の機器のカテゴリコードおよびアドレスと一緒に複数の映像機器へ送信する。複数の映像機器の各々は、コントローラからのコマンド，カテゴリコードおよびアドレスを受信し、受信されたカテゴリコードおよびアドレスが自分に設定されたカテゴリコードおよびアドレスと一致する場合に、受信されたコマンドを処理する。これによりコントローラは、所望の映像機器だけを簡単に制御することができる。
【０００３】
また、複数の映像機器の各々には、グループコードがさらに設定される。コントローラは、所望のコマンドを所望のグループのコードと一緒に複数の映像機器へ送信する。複数の映像機器の各々は、コントローラからのコマンドおよびグループコードを受信し、受信されたグループコードが自分に設定されたグループコードと一致する場合に、受信されたコマンドを処理する。これによりコントローラは、所望のグループに属する映像機器だけを簡単かつ一括的に制御することができる。
【特許文献１】特許第３００５５３６号公報［Ｈ０４Ｎ ７／１８］
【発明の開示】
【発明が解決しようとする課題】
【０００４】
しかし、従来技術では、所望の機器だけを制御したいとき、ユーザが手操作で所望の機器の識別子（カテゴリコードおよびアドレス）を逐一入力することにより所望の機器の操作画面を呼び出してからコマンドを入力しなければならないので、制御が開始されるまでに長い時間がかかる。そのため、たとえば機器に重大な状態変化が生じたとき、対処が間に合わない恐れがある。
【０００５】
それゆえに、この発明の主たる目的は、対処が必要な機器の制御を素早く開始することができる、機器制御装置を提供することである。
【課題を解決するための手段】
【０００６】
請求項１の発明は、複数の機器のいずれか１つである第１機器を操作する第１操作画面を表示する表示手段、第１操作画面が表示されている状態で複数の機器のうち第１機器と異なる第２機器に向けられた特定信号を入力したとき第２機器が第１機器に優先するか否かを判別する判別手段、判別手段の判別結果が肯定的であるとき第１操作画面上の操作状態に関係なく第１操作画面を第２機器を操作する第２操作画面に更新する第１更新手段、および判別手段の判別結果が否定的であるとき第１操作画面上の操作が終了した後に第１操作画面を第２操作画面に更新する第２更新手段を備える、機器制御装置である。
【０００７】
請求項１の発明では、第１機器の操作中に第２機器に向けられた特定信号が入力されたとき、第２機器が第１機器に優先する場合は第１操作画面上の操作状態に関係なく第１操作画面が第２操作画面に更新され、そうでない場合は第１操作画面上の操作が終了した後に第１操作画面が第２操作画面に更新される。
【０００８】
請求項２の発明は、請求項１記載の機器制御装置において、複数の機器の各々には優先度が割り当てられ、判別手段は第２機器に割り当てられた優先度が第１機器に割り当てられた優先度よりも高いか否かを判別する第１優先度判別手段を含む。
【０００９】
請求項２の発明では、複数の機器の各々に優先度が割り当てられる。第２機器が第１機器に優先するか否かは、第２機器に割り当てられた優先度が第１機器に割り当てられた優先度よりも高いか否かに基づいて判別される。典型的には、第２機器の優先度が第１機器のそれより高ければ、第２機器が第１機器に優先すると判別され、第２機器の優先度が第１機器のそれと同じかそれより低ければ、第１機器が第２機器に優先すると判別される。
【００１０】
請求項３の発明は、請求項１または２記載の機器制御装置において、特定信号は複数の優先度のいずれか１つを示す優先度情報を含み、判別手段は優先度情報が示す優先度が閾値を上回るか否かを判別する第２優先度判別手段を含む。
【００１１】
請求項１に従属する請求項３の発明では、特定信号に優先度情報が含まれている。第２機器が第１機器に優先するか否かは、優先度情報が示す優先度が閾値を上回るか否かに基づいて判別される。典型的には、優先度情報が示す優先度が閾値を上回れば第２機器が第１機器に優先すると判別され、そうでなければ第１機器が第２機器に優先すると判別される。
【００１２】
請求項２に従属する請求項３の発明では、複数の機器の各々に優先度が割り当てられているのに加え、特定信号に優先度情報が含まれている。第２機器が第１機器に優先するか否かは、第２機器に割り当てられた優先度が第１機器に割り当てられた優先度よりも高いか否か、および優先度情報が示す優先度が閾値を上回るか否かに基づいて判別される。
【００１３】
典型的には、優先度情報が示す優先度が閾値を上回っていれば、両機器の優先度に関わらず第２機器が第１機器に優先すると判別される。優先度情報が示す優先度が閾値に満たなければ、両機器の優先度が比較される。そして比較の結果、第２機器の優先度が第１機器のそれより高ければ、第２機器が第１機器に優先すると判別され、第２機器の優先度が第１機器のそれと同じかそれより低ければ、第１機器が第２機器に優先すると判別される。
【００１４】
請求項４の発明は、請求項３記載の機器制御装置において、特定信号はアラーム検出を示す第１イベント情報およびアラーム検出以外のイベント発生を示す第２イベント情報のいずれか１つをさらに含み、第１イベント情報に対応する優先度情報が示す優先度は閾値を上回る。
【００１５】
請求項４の発明では、特定信号に第１イベント情報および第２イベント情報のいずれか１つがさらに含まれている。第１イベント情報はアラーム検出を、第２イベント情報はアラーム検出以外のイベント発生を示す。第１イベント情報に対応する優先度情報の優先度は閾値を上回るため、第１イベント情報を含む特定信号が入力されれば、第２機器が第１機器に優先すると判定され、第１操作画面は速やかに第２操作画面に更新される。
【００１６】
請求項４の発明によれば、アラーム検出を示す特定信号が入力されたとき、第１機器の制御を中断して素早く第２機器の制御を開始することができる。
【００１７】
請求項５の発明は、請求項３または４記載の機器制御装置において、複数の機器は監視カメラを含み、第１イベント情報を含む特定信号は監視カメラに向けられる。
【００１８】
請求項６の発明は、請求項１ないし５のいずれかに記載の機器制御装置において、第２更新手段は、第２機器を示す機器情報をメモリに書き込む書き込み手段、および第１操作画面上の操作が終了した後にメモリに格納された機器情報に基づいて第２操作画面を表示する第２操作画面表示手段を含む。
【００１９】
請求項６の発明では、第２機器が第１機器に優先しないと判別されたとき、第２機器を示す機器情報がメモリに書き込まれる。そして、第１操作画面上の操作が終了した後、メモリに格納された機器情報に基づいて第２操作画面が表示される。  
【００２０】
請求項７の発明は、請求項１ないし６のいずれかに記載の機器制御装置において、複数の端末を複数のグループに分割する分割手段、および第２操作画面が表示されている状態で特定操作が行われたとき第２操作画面を第２機器と同じグループに属する全ての機器を一括して操作する第３操作画面に更新する第３更新手段をさらに備える。
【００２１】
請求項７の発明では、複数の端末は複数のグループに分割される。第２操作画面が表示されている状態で特定操作例えば特定キーの押下がなされると、第２操作画面は、第２機器と同じグループに属する全機器を一括操作する第３操作画面に更新される。これによりユーザは、第２機器および第２機器と同じグループに属する機器を一括操作したいとき、第１操作画面が第２操作画面に更新された後に例えば特定キーを一押しするだけで、第２機器単独の操作から第２機器を含むグループの操作に素早く移行することができる。
【００２２】
請求項８の発明は、請求項１ないし７のいずれかに記載の機器制御装置を備え、複数の機器は監視カメラを含む、監視カメラシステムである。
【００２３】
請求項８の発明によれば、例えばＶＣＲを操作中に監視カメラでアラームが検出されたとき、監視カメラの制御を素早く開始することができる。また、例えば監視カメラを操作中にＶＣＲで録画停止などのステータス変化が生じたとき、監視カメラの操作が終わった後で確実かつ迅速にＶＣＲを制御することができる。
【発明の効果】
【００２４】
この発明によれば、第１機器を操作中に第２機器に向けられた特定信号が入力されたとき、第２機器が第１機器に優先する場合は第１機器の制御を中断して第２機器の制御を先に行い、そうでない場合は第１機器の操作が終了した後に第２機器の制御を行うことができる。また、いずれの場合も、第２操作画面を呼び出すためにユーザが手操作で第２機器の識別子を入力する必要がないので、第２機器の制御を素早く開始することができる。
【００２５】
この発明の上述の目的，その他の目的，特徴および利点は、図面を参照して行う以下の実施例の詳細な説明から一層明らかとなろう。
【発明を実施するための最良の形態】
【００２６】
図１を参照して、この実施例の映像記録システム１０は、コントローラ１２を含む。コントローラ１２は、ＲＳ−４８５のようなバス１４によって、複数のカメラ１６ａ〜１６ｍ，複数のマルチプレクサ１８ａ〜１８ｃならびに複数のタイムラプスＶＣＲ２０ａ〜２０ｃと接続される。これらのカメラ１６ａ〜１６ｍ，マルチプレクサ１８ａ〜１８ｃおよびタイムラプスＶＣＲ２０ａ〜２０ｃは、コントローラ１２によって制御される。
【００２７】
カメラ１６ａ，１６ｄ，１６ｇおよび１６ｊから出力された映像信号はマルチプレクサ１８ａに入力され、マルチプレクサ１８ａによってそれぞれの映像信号が時分割多重される。時分割多重された映像信号はタイムラプスＶＣＲ２０ａによって図示しないビデオテープに記録される。カメラ１６ａ〜１６ｊから出力されたそれぞれの映像信号は、間欠的にビデオテープに記録される。
【００２８】
カメラ１６ｂ，１６ｅおよび１６ｈの出力は、マルチプレクサ１８ｂによって時分割多重される。そして、マルチプレクサ１８ｂの出力がタイムラプスＶＣＲ２０ｂによってビデオテープに記録される。カメラ１６ｃ，１６ｆ，１６ｉ，１６ｋおよび１６ｍの出力は、マルチプレクサ１８ｃによって時分割多重され、タイムラプスＶＣＲ２０ｃは、マルチプレクサ１８ｃの出力をビデオテープに記録する。
【００２９】
このように、カメラ１６ａ〜１６ｍによって撮影された映像信号が、所定のタイムラプスＶＣＲによって間欠記録される。
【００３０】
カメラ１６ａ〜１６ｍには、アドレス“０００”〜“０１１”を示す８ビットデータ“００００００００”〜“００００１０１１”が予め割り当てられる。マルチプレクサ１８ａ〜１８ｃには、アドレス“０００”〜“００２”を示す８ビットデータ“００００００００”〜“００００００１０”が予め割り当てられる。ＶＣＲ２０ａ〜２０ｃには、アドレス“０００”〜“００２”を示す８ビットデータ“００００００００”〜“００００００１０”が予め割り当てられる。また、カメラ１６ａ〜１６ｍには共通のカテゴリコード“０１００”が割り当てられ、マルチプレクサ１８ａ〜１８ｃには共通のカテゴリコード“００１０”が割り当てられ、そしてＶＣＲ２０ａ〜２０ｃには共通のカテゴリコード“００１１”が予め割り当てられる。なお、コントローラ１２にもアドレス“０００”を示す８ビットデータ“００００００００”ならびにカテゴリコード“０００１”が予め割り当てられる。
【００３１】
図２を参照して、コントローラ１２には各種キー１２ａ〜１２ｒおよび１２ｖとＬＣＤ１２ｓとが設けられる。オペレータが個別操作キー１２ｃを押せば通常通信モードが設定される。通常送信モードでは、モードキー１２ｄによって所望のカテゴリを指定し、テンキー１２ｎによって所望のアドレスを指定し、その後コマンドキー１２ｅ〜１２ｍのいずれかを操作することで、所望の機器だけが制御される。たとえば、カメラを示すカテゴリとアドレス“００３”を入力し、コマンドキー１２ｋを操作すれば、カメラ１６ｄにカメラモード１（たとえば夜間撮影モード）が設定される。また、ＶＣＲのカテゴリとアドレス“０００”とを入力しコマンドキー１２ｆを操作すれば、ＶＣＲ２０ａのみが映像信号の記録を開始する。
【００３２】
オペレータがグループ登録キー１２ａを操作すれば、グループ登録モードが設定される。このモードでは、所望のグループ番号を入力し、カテゴリコードおよびアドレスによってグループ登録したい機器を指定することで、指定された機器に所望のグループ番号に対応するグループコードが割り当てられる。たとえばグループ番号“０１”を入力しかつカメラ１６ａを示すカテゴリコードおよびアドレスを入力すれば、カメラ１６ａにグループコード“０００１”が割り当てられる。また、グループ番号“０１”ならびにマルチプレクサ１８ａを示すカテゴリコードおよびアドレスを入力すれば、マルチプレクサ１８ａにもグループコード“０００１”が割り当てられる。
【００３３】
このような操作を繰り返してカメラ１６ａ〜１６ｊ，マルチプレクサ１８ａおよびＶＣＲ２０ａにグループコード“０００１”を割り当てると、これらの機器がグループ０１となる。同様に、カメラ１６ｂ〜１６ｈ，マルチプレクサ１８ｂおよびＶＣＲ２０ｂにグループコード“００１０”を割り当てると、これらの機器がグループ０２となる。さらに、カメラ１６ｃ〜１６ｍ，マルチプレクサ１８ｃおよびＶＣＲ２０ｃにグループコード“００１１”を割り当てると、これらの機器がグループ０３となる。このようにして所望の機器毎のグループが形成される。
【００３４】
グループ登録がなされた状態でグループ操作キー１２ｂが押されると、ブロードキャスト送信モードが設定される。このモードにおいて、オペレータがグループだけを特定しコマンドを入力すると、特定されたグループに含まれる全ての機器が入力コマンドによって制御される。一方、グループおよびカテゴリを特定した上でコマンドを入力すれば、所望のグループに含まれる所望のカテゴリの機器だけが制御される。たとえば、テンキー１２ｎによってグループ番号“０１”を入力しモードキー１２ｄによって“ＡＬＬ”を指定すれば、グループ０１の全機器が制御対象となる。この状態でコマンドキー１２ｉを操作すると、グループ０１に含まれるカメラ１６ａ〜１６ｊ，マルチプレクサ１８ａおよびＶＣＲ２０ａの全ての電源がオンされる。一方、グループ番号“０１”を入力した後モードキー１２ｄによって“ＣＡＭ”を指定し、コマンドキー１２ｍを操作すると、グループ０１に含まれるカメラ１６ａ〜１６ｊにカメラモード２（たとえば昼間モード）が設定される。
【００３５】
このように、この実施例のブロードキャスト送信モードでは、グループ毎あるいはグループに含まれる同一カテゴリの機器毎に、動作を制御することができる。つまり、所望の機器だけを一括してかつ簡単に制御することができる。
【００３６】
オペレータが優先度付与キー１２ｖを操作すれば、優先度付与モードが設定される。このモードでは、カテゴリコードおよびアドレスによって優先度登録を行いたい機器を指定し、そして優先度を入力することで、指定された機器に所望の優先度が付与される。たとえばカメラ１６ａを示すカテゴリコードおよびアドレスと優先度“１”とを入力すれば、カメラ１６ａに優先度“１”が付与される。また、マルチプレクサ１８ａを示すカテゴリコードおよびアドレスと優先度“２”とを入力すれば、マルチプレクサ１８ａに優先度“２”が付与される。ここで優先度は、昇順すなわち数値が大きいほど高いとする。
【００３７】
このような操作を繰り返すことによって、映像記録システム１０を構成するカメラ１６ａ〜１６ｍ，ＭＰＸ１８ａ〜１８ｃおよびＶＣＲ２０ａ〜２０ｃの各々に所望の優先度が付与される。なお、付与操作が行われなかった機器については、デフォルト値“０”が優先度となる。
【００３８】
通常送信モードにおいて、ある一つの機器の操作画面がＬＣＤ１２ｓに表示されているとき、別の機器からアラーム検出を示す状態変化通知信号を受信すると、ＬＣＤ表示が一機器の操作画面から別機器の操作画面に切り換わる。同じくステータス変化を示す状態変化通知信号を受信すると、別機器の優先度が一機器のそれよりも高い場合に、ＬＣＤ表示が一機器の操作画面から別機器の操作画面に切り換わる。
【００３９】
一例として、ＶＣＲ２０ａとカメラ１６ａとの間で操作画面を切り換える場合を図１により説明する。ここでは、ＶＣＲ２０ａにカメラ１６ａよりも高い優先度が付されているとする。
【００４０】
いま、ＬＣＤ１２ｓにはカメラ１６ａの操作画面が表示されており、ＶＣＲ２０ａは録画動作を行っているとする。ＶＣＲ２０ａの録画動作が停止すると、ＶＣＲ２０ａからコントローラ１２へステータス変化を示す状態変化通知信号が送信される。コントローラ１２は、この信号を受信し、送信元と通知内容とを特定する。送信元がＶＣＲ２０ａ、通知内容がステータス変化なので、ＶＣＲ２０ａの優先度をカメラ１６ａのそれと比較する。ＶＣＲ２０ａの優先度の方が高いので、表示画面をＶＣＲ２０ａの操作画面に切り換える。
【００４１】
いま、ＬＣＤ１２ｓにはＶＣＲ２０ａの操作画面が表示されており、カメラ１６ａはノーマルモードで撮影を行っているとする。カメラ１６ａでアラームが検出され、カメラ１６ａの撮影モードがノーマルモードからアラームモードに切り換わると、カメラ１６ａからコントローラ１２へアラーム検出を示す状態変化通知信号が送信される。コントローラ１２は、この信号を受信し、送信元と通知内容とを特定する。この場合、送信元がカメラ１６ａ、通知内容がアラーム検出なので、表示画面をカメラ１６ａの操作画面に切り換える。すなわち、通知内容がアラーム検出であれば、優先度の高低に関わらず操作画面が切り換わる。
【００４２】
コントローラ１２は、具体的には図８〜図１３に示すフロー図を処理する。まず、ステップＳ１，Ｓ２３，Ｓ４５およびＳ６３で、グループ登録キー１２ａ，優先度付与キー１２ｖ，グループ操作キー１２ｂおよび個別操作キー１２ｃの操作の有無をそれぞれ判別する。グループ登録キー１２ａが押されたときはステップＳ１で“ＹＥＳ”と判断し、グループ登録モードの処理に移行する。また、優先度付与キー１２ｖが押されたときは優先度付与モードの処理に移行し、グループ操作キー１２ｂが押されたときはブロードキャスト送信モードの処理に移行し、個別操作キー１２ｃが押されたときは通常送信モードの処理に移行する。いずれのキーも押されなかったときは、ステップＳ７７でレジスタ１２ｔにカテゴリコードおよびアドレスデータが保持されているかどうかを判定し、“ＹＥＳ”であれば表示画面をレジスタ１２ｔ内のカテゴリコードおよびアドレスデータに対応する機器の操作画面に切り換える。また、図８〜図１１に示すフロー図を処理中、ある一つの機器の操作画面がＬＣＤ１２ｓに表示されているとき別の機器から状態変化通知信号が送信されてくると、コントローラ１２は、ＬＣＤ１２ｓを必要に応じて送信元機器の操作画面に切り換えるための割り込み処理を実行する。
【００４３】
グループ登録モードでは、まずステップＳ３で、グループ番号“０１”を意味する“ＧＲ：０１”ならびにカメラのアドレスの入力欄を表す“ＣＡＭ：      ”を、図３に示すようにＬＣＤ１２ｓに表示する。次に、ステップＳ５でカーソルキー１２ｐが押されたかどうか判断し、ステップＳ９でモードキー１２ｄが押されたかどうか判断し、ステップＳ１３でテンキー１２ｎが押されたかどうか判断し、そしてステップＳ１７でセットキー１２ｒが押されたかどうか判断する。オペレータがカーソルキー１２ｐを押せば、ステップＳ７でグループ番号が変更される。またモードキー１２ｄが押されればカテゴリの表示が“ＣＡＭ”→“ＭＰＸ”→“ＶＣＲ”→“ＣＡＭ”のように循環的に変更される。さらに、テンキー１２ｎが操作されれば、ステップＳ１５でアドレスの入力欄にアドレスが表示される。
【００４４】
所望のグループ，カテゴリおよびアドレスが表示された時点でセットキー１２ｒが操作されると、コントローラ１２はステップＳ１７で“ＹＥＳ”と判断し、ステップＳ１９で所望の機器にグループコードを登録する。具体的には、所望のグループコードと所望の機器のカテゴリコードおよびアドレスコードとが互いに関連付けられた状態で出力され、この結果、所望の機器に所望のグループコードが登録される。その後ステップＳ２１で対応するグループコードをメモリ１２ｕに記憶し処理を終了する。
【００４５】
このように、所望の機器に対するグループコードの割り当てが１回完了する毎に、グループ登録モードが終了する。このため、別の機器にグループ番号を割り当てるときは、オペレータは再度グループ登録モードを設定する必要がある。
【００４６】
優先度付与モードでは、まずステップＳ２５で、カメラのアドレスの入力欄を表す“ＣＡＭ：      ”を、図４に示すようにＬＣＤ１２ｓに表示する。次に、ステップＳ２７でモードキー１２ｄが押されたかどうか判断し、ステップＳ３１でテンキー１２ｎが押されたかどうか判断し、そしてステップＳ３５でセットキー１２ｒが押されたかどうか判断する。オペレータがモードキー１２ｄを押せば、ステップＳ２９でカテゴリの表示が“ＣＡＭ”→“ＭＰＸ”→“ＶＣＲ”→“ＣＡＭ”のように循環的に変更される。また、テンキー１２ｎが操作されれば、ステップＳ３３でアドレスの入力欄にアドレスが表示される。
【００４７】
所望のカテゴリおよびアドレスが表示された時点でセットキー１２ｒが操作されると、コントローラ１２はステップＳ３５で“ＹＥＳ”と判断し、ステップＳ３７でテンキー１２ｎが押されたかどうか判断する。テンキー１２ｎが操作されれば、ステップＳ３９で所望の機器に優先度を付与する。図４の例では、カメラ１６ｆ（アドレス：００５）に優先度“２”を付与している。そして、ステップＳ４１でセットキー１２ｒが押されたかどうか判断し、押されると優先度をメモリ１２ｕに記憶し処理を終了する。
【００４８】
さて、図８に示されるグループ登録処理が完了した後でグループ操作キー１２ｂが押されると、ステップＳ４５に進み、まずグループ番号“０１”とグループ０１に含まれるカメラのアドレスをＬＣＤ１２ｓに表示する。この実施例ではカメラ１６ａ，１６ｄ，１６ｇおよび１６ｊがグループ０１に属しているため、図５に示すように“ＧＲ：０１”および“ＣＡＭ：０００：００３：００６：００９”がＬＣＤ１２ｓに表示される。このときテンキー１２ｎが操作されれば、コントローラ１２はステップＳ４９で“ＹＥＳ”と判断し、ステップＳ５１でグループ番号を変更する。つまり、テンキー１２ｎによって“０２”が入力されれば、ＬＣＤ１２ｓにグループ番号“０２”およびグループ０２に含まれるカメラのアドレスが表示される。
【００４９】
ステップＳ５３ではセットキー１２ｒが押されたかどうか判断し、“ＮＯ”であればステップＳ４９に戻る。したがって、セットキー１２ｒが押されない間は、グループの変更が可能である。セットキー１２ｒが押されると、処理がステップＳ５５に進む。つまり、セットキー１２ｒが押された時点でＬＣＤ１２ｓに表示されていたグループ番号によって、まず送信先のグループが特定される。
【００５０】
コントローラ１２は続いて、ステップＳ５５でモードキー１２ｄが押されたかどうか判断する。ここで“ＮＯ”であればそのままステップＳ５９に進むが、“ＹＥＳ”であればステップＳ５７でカテゴリを変更してからステップＳ５９に進む。ステップＳ５７では、モードキー１２ｄが１回押される毎に、図５に示されるようにカテゴリが“ＣＡＭ”→“ＭＰＸ”→“ＶＣＲ”→“ＡＬＬ”→“ＣＡＭ”の順で循環的に変更される。カテゴリが変更される毎に、アドレスの表示も変更される。なお、“ＡＬＬ”は、特定されたグループに含まれる全てのカテゴリの指定を意味する。
【００５１】
このようにしてグループおよびカテゴリが指定された後コマンドキー１２ｅ〜１２ｍのいずれかが操作されると、コントローラ１２はステップＳ６１でブロードキャスト送信を行う。これによって、所望のグループに属する所望の機器だけが制御される。送信を終えると、処理を終了する。なお、ブロードキャスト送信については後述する。
【００５２】
通常送信モードが設定されたときは、ステップＳ６５で図６に示す“ＣＡＭ：      ”をＬＣＤ１２ｓに表示する。コントローラ１２はステップＳ６７，Ｓ７１およびＳ７５でモードキー１２ｄ，テンキー１２ｎおよびセットキー１２ｒの操作の有無を判別する。モードキー１２ｄが押されたときは、図６に示すように“ＣＡＭ”→“ＭＰＸ”→“ＶＣＲ”→“ＣＡＭ”の順でカテゴリの表示が変更される。テンキー１２ｎが操作されたときは、ステップＳ７３でアドレスがアドレス入力欄に表示される。所望のカテゴリおよび所望のアドレスがＬＣＤ１２ｓに表示されたときにオペレータがセットキー１２ｒを操作すれば、コントローラ１２はステップＳ７５で“ＹＥＳ”と判断し、続いてステップＳ８５でコマンドが入力されたかどうかを判断する。コマンドキー１２ｅ〜１２ｍのいずれかも押されなければステップＳ８９に進むが、いずれか１つでも押されれば、ステップＳ８７で通常送信を実行する。なお、通常送信については後述する。
【００５３】
ステップＳ８９では、クリアキー１２ｑが押されたかどうか判断する。ここで“ＮＯ”であればステップＳ８５に戻るが、“ＹＥＳ”であれば処理を終了する。
【００５４】
このように、通常送信モードでは、モードキー１２ｄおよびテンキー１２ｎの操作によって所望のカテゴリおよびアドレスが指定される。そして、その後のコマンド入力によって所望の機器だけが制御される。
【００５５】
次に、上記ステップＳ６１におけるブロードキャスト送信のサブルーチンを簡単に説明する。コントローラ１２はまず、バス１４が開放されたかどうか判断し、開放されていれば送信元のカテゴリコードおよびアドレスデータを出力する。カテゴリコードおよびアドレスデータはコントローラ１２に戻され、コントローラ１２は、入力されたアドレスデータを自分のアドレスと比較する。ここで両アドレスが一致しなければエラーが発生したと判断し、リターンする。一方、両アドレスが一致すれば異常なしと判断し、送信先のカテゴリコードおよびグループコードを出力する。
【００５６】
このようにしてカテゴリコードおよびグループコードが出力された後、コントローラ１２は所望のコマンドを出力する。所望のコマンドは、所望のグループコードおよび所望のカテゴリコードと関連付けられた状態で出力され、この結果、所望のグループに属する所望の機器だけが制御される。
【００５７】
次に、上記ステップＳ８７における通常送信のサブルーチンを簡単に説明する。コントローラ１２はまずバスが開放されているかどうか判断し、解放されていれば、送信元のカテゴリコードおよびアドレスデータを出力する。カテゴリコードおよびアドレスデータはコントローラ１２に戻され、コントローラ１２は、入力されたアドレスデータを自分のアドレスと比較する。ここで両アドレスが一致しなければエラーが発生したと判断し、リターンする。一方、両アドレスが一致すれば異常なしと判断し、送信先のカテゴリコードおよびアドレスデータを出力する。このようにしてカテゴリコードおよびアドレスデータが出力されるとコントローラ１２は、相手先にコマンドを出力する。
【００５８】
このように、所望のコマンドと所望の機器のカテゴリコードおよびアドレスデータとが互いに関連付けられた状態で出力され、この結果、所望の機器が個別に制御される。
【００５９】
図８〜図１１に示されるような処理を実行中、いずれかの機器から状態変化通知信号を受信すると、コントローラ１２は、以下のような割り込み処理を行う。まずステップＳ１０１でＬＣＤ１２ｓに操作画面を表示中であるかどうかを判断する。表示中でなければステップＳ１０３で状態変化通知信号の送信元機器の操作画面を表示し、その後ステップＳ１１７に移る。
【００６０】
操作画面を表示中であれば、ステップＳ１０５でこの画面が送信元機器の操作画面であるかどうかを判別し、送信元機器の操作画面であればステップＳ１１７に移る。別の機器の操作画面であれば、ステップＳ１０７で優先度比較を行い（後述）、送信元機器の優先度が別機器のそれより高ければステップＳ１０９からステップＳ１１５に進んで送信元機器の操作画面を表示する。つまり、別機器の操作画面が送信元機器の操作画面に更新される。
【００６１】
送信元機器の優先度が別機器のそれ以下であれば、ステップＳ１０９からステップＳ１１１に進んで通知元機器のカテゴリコードおよびアドレスデータをレジスタ１２ｔへ転送する。そしてステップＳ１１３で状態変化通知信号を受信した旨のメッセージを出力し、割り込み処理を終了する。なお、メッセージは、例えばＬＣＤ１２ｓに文字やシンボルとして表示される。ＬＥＤを点滅させたり、警告音を発生させたりしてもよい。
【００６２】
ステップＳ１１７でコントローラ１２は、状態変化通知信号を受信した旨のメッセージを出力する。そしてステップＳ１１９でコマンドが入力されたかどうかを判断する。コマンドキー１２ｅ〜１２ｍのいずれかも押されなければステップＳ１２３に進むが、いずれか１つでも押されれば、ステップＳ１２１で通常送信を実行する。
【００６３】
ステップＳ１２３では、クリアキー１２ｒが押されたかどうかを判定し、押されなければステップＳ１１９に戻る。クリアキー１２ｑが押されれば、割り込み処理を終了する。
【００６４】
ステップＳ１０９でレジスタ１２ｔにカテゴリコードおよびアドレスデータが転送された場合、ステップＳ１，Ｓ２３，Ｓ４５およびＳ６３がいずれも”ＮＯ”であるとき実行されるステップＳ７７（図１１参照）の判別結果が“ＹＥＳ”となって、ステップＳ７９が実行される。ステップＳ７９でコントローラ１２は、レジスタ１２ｔ内のカテゴリコードおよびアドレスデータに対応する機器、つまり先に状態変化通知信号を送信した機器の操作画面をＬＣＤ１２ｓに表示する。
【００６５】
上記ステップＳ１０７の優先度比較は、以下のサブルーチンに従って行われる。図１３を参照して、ステップＳ１３１でコントローラ１２は、状態変化検出信号の優先度（後述）を検出する。ステップＳ１３３では、検出された優先度が閾値（後述）以上かどうかを判定し、優先度が閾値以上であれば、ステップＳ１４１で送信元機器優先と認定する。その後、上位層のルーチンに復帰する。
【００６６】
状態変化通知信号の優先度が閾値に満たなければ、ステップＳ１３５でメモリ１２ｕ内の優先度情報を参照する。ステップＳ１３７では、通知元機器の優先度が別機器（操作中の機器）のそれよりも高いかどうかを判別する。通知元機器の優先度が高ければ、ステップＳ１４１で送信元機器優先と認定し、その後、上位層のルーチンに復帰する。
【００６７】
通知元機器の優先度が別機器のそれ以下であれば、ステップＳ１３９で別機器優先と認定し、その後、上位層のルーチンに復帰する。
【００６８】
ここで、状態検出信号の優先度および閾値について具体的に説明する。この実施例の場合、状態変化通知信号には、機器で生じた状態変化の種別と、機器自身のカテゴリコード，アドレスデータおよびグループコードとが含まれる。状態変化の種別には、“アラーム検出”および“ステータス変化”の２種類がある。“アラーム検出”は“ステータス変化”よりも優先度が高い。従って、上記ステップＳ１３１では、状態変化通知信号が“ステータス変化”を示していれば優先度は“１”、“アラーム検出”を示していれば優先度は“２”のように検出される。一方、優先度の閾値は“２”に設定され、ステップＳ１３３では、検出された優先度が閾値“２”以上か否かが判定される。そして、優先度が“２”以上、つまり状態検出信号の種別が“アラーム検出”であればステップＳ１４１に進み、優先度が“２”未満、つまり信号種別が“ステータス変化”であればステップＳ１３５に進むことになる。
【００６９】
このように、複数の機器のいずれか１つである第１機器の操作画面がＬＣＤ１２ｓに表示されているとき、複数の機器の別の１つである第２機器からの状態変化通知信号が受信されると、コントローラ１２は、まず通知内容の解析を行う。解析の結果、通知内容がアラーム検出であれば、ＬＣＤ表示を即座に第２機器の操作画面に切り換える。通知内容がステータス変化であれば、両機器の優先度比較を行い、比較の結果、第２機器の優先度が第１機器のそれよりも高ければ、ＬＣＤ表示を即座に第２機器の操作画面に切り換える。一方、第２機器の優先度が第１機器のそれ以下であれば、この時点で画面切り換えは行わず、第１機器の操作が完了した後で第２機器の操作画面を表示する。
【００７０】
複数の機器すなわちカメラ１６ａ〜１６ｍ，ＭＰＸ１８ａ〜１８ｃおよびＶＣＲ２０ａ〜２０ｃの各々は、図１４および図１５に示すフロー図を処理する。まずステップＳ１５１で状態変化の有無を検出する。状態変化が検出されなければ、ステップＳ１５５に移る。状態変化が検出されれば、ステップＳ１５３でコントローラ１２へ状態変化通知信号を送信し、その後ステップＳ１５５に移る。
【００７１】
ステップＳ１５５ではカテゴリコードおよびアドレスデータが入力されたかどうか判断し、“ＹＥＳ”であればステップＳ１５７で、入力されたカテゴリコードが自分のカテゴリコードと一致するかどうか判断する。ここで“ＮＯ”であればそのまま処理を終了するが、“ＹＥＳ”であれば、ステップＳ１５９で入力されたアドレスデータが自分のアドレスと一致するかどうか判断する。ここでも“ＹＥＳ”つまり“一致”と判断されれば、自分自身がグループ登録モードまたは通常送信モードにおける制御対象であると判断し、ステップＳ１６１で、コントローラ１２と通信を行うためのプロトコルを確立する。
【００７２】
そして、ステップＳ１６３でコントローラ１２からのデータ（グループコードまたはコマンド）が受信されたかどうか判断する。ここで“ＮＯ”であればステップＳ１６７で所定時間経過したかどうか判断する。そして“ＮＯ”であればステップＳ１６３に戻るが、“ＹＥＳ”であれば処理を終了する。所定時間内にデータを受信すれば、ステップＳ１６５で受信データを処理する。グループコードが入力されたときはこのグループコードを図示しないメモリに保持し、コマンドが入力されたときはこのコマンドに従って動作する。そしてステップＳ１６７に進む。
【００７３】
グループ登録モードではグループコードに続いていずれのデータないしコマンドも入力されないため、ステップＳ１６５でグループコードをメモリに保持してから所定期間経過後に処理を終了する。一方、通常送信モードではコマンドが引き続き入力される場合もあるため、所定時間経過するまでステップＳ１６３の判断を行う。
【００７４】
ステップＳ１５９で“ＮＯ”であれば、ステップＳ１６９で自分のグループコードと入力されたグループコードとが一致するかどうか判断する。両者が不一致であればそのまま処理を終了するが、両者が一致していれば、ステップＳ１７１で所定時間経過したかどうか判断する。ここで“ＮＯ”であればステップＳ１７３でデータつまりコマンドが受信されたかどうか判断する。ステップＳ１７１で“ＹＥＳ”であればステップＳ１７７に進み、ステップＳ１７３で“ＮＯ”であればステップＳ１７１に戻り、そしてステップＳ１７３で“ＹＥＳ”であればステップＳ１７５に進む。つまり、所定時間内にコマンドが受信されなければステップＳ１７７でエラー処理を行う。一方、所定時間内にデータを受信すれば、ステップＳ１７５でそのコマンドを処理し、処理を終了する。
【００７５】
この結果、ブロードキャスト送信モードでは、入力されたカテゴリコードおよびグループコードが機器自身のもつカテゴリコードおよびグループコードと一致した場合だけ、続いて入力されるコマンドを処理する。なお、カテゴリコードが全カテゴリを示す“００００”である場合、ステップＳ１５７では無条件に“ＹＥＳ”と判断される。
【００７６】
この実施例によれば、それぞれの機器に所定のグループコードを設定することによって、共通のグループコードを持つ機器ごとのグループが形成される。したがって、ブロードキャスト送信モードを設定して所望のグループコード，所望のカテゴリコードおよび所望のコマンドを入力すれば、所望のグループに属するすべての機器あるいは所望のグループに属する所望のカテゴリの機器だけが入力されたコマンドに従って動作する。このため、それぞれの機器の起動タイミングにズレが発生するのを防止できる。また、機器ごとにコマンドを入力する必要がないため、所望の機器だけを簡単に制御することができる。
【００７７】
加えて、この実施例によれば、複数の機器の１つである第１機器を操作しているとき複数の機器の別の１つである第２機器からアラーム検出を示す状態変化通知信号が送られてくると、それまで表示されていた第１機器の操作画面が即座に第２機器の操作画面に切り換わるので、第２機器で重大な状態変化が発生したとき、素早く第２機器の制御を開始することができる。
【００７８】
また、第１機器を操作しているとき第２機器からアラーム検出よりも優先度の低いステータス変化を示す状態変化通知信号が送られてくると、第２機器の優先度が第１機器のそれよりも高い場合に限り、それまで表示されていた第１機器の操作画面が即座に第２機器の操作画面に切り換わるので、第１機器よりも第２機器の優先度が高ければ素早く第２機器の制御を開始することができる一方、第２機器の優先度が第１機器のそれと同じかそれより低ければ、そのまま第１機器の操作を継続することができる。そして、第１機器の操作が継続された場合には、第１機器の操作画面が消えた後で第２機器の操作画面が表示されるので、優先度の高くない第２機器で生じた重大ではないステータス変化であっても見落とすことなく、優先度の高い第１機器の操作を終えた後で確実に対処することができる。
【００７９】
なお、この実施例では、状態変化通知信号の通知内容すなわち状態変化の種別は、“アラーム検出”および“ステータス変化”の２種類としたが、３種類以上であってもよい。例えば、“ステータス変化”を“録画開始”，“録画停止”，“画質変更”，…などのように細分化することができる。この場合、複数の状態変化種別の各々に優先度が付与され、コントローラ１２には、優先度に関する閾値が設定される。そして図１２のステップＳ１０５では、通知内容の優先度が閾値以上であるか否かが判定され、閾値以上であればステップＳ１１１が実行される。
【００８０】
以下、本発明の他の実施例について説明する。この実施例でも前述の実施例同様、第１機器の操作画面がＬＣＤ１２ｓに表示された状態で第２機器から状態変化通知信号が送信されてくると、通知内容がアラーム検出を示しているか、または、通知内容がステータス変化を示しかつ第２機器の優先度が第１機器のそれより高い場合に、ＬＣＤ表示が即座に第２機器の操作画面に切り換わる。通知内容がステータス変化を示しかつ第２機器の優先度が第１機器のそれ以下の場合には、第１機器の操作完了後に第２機器の操作画面が表示される。
【００８１】
加えて、この実施例では、第２機器の操作画面に切り換わった後で下カーソル（↓）キー１２ｐが押されると、第２機器と同じグループに属する全機器を一括的に操作する画面に切り換わる。また、グループ操作画面に切り換わった後でもう一度下カーソルキー１２ｐが押されると、第２機器と同じグループの特定カテゴリに属する全機器を一括的に操作する画面に切り換わる。さらにまた、グループ内特定カテゴリ操作画面が表示された状態でモードキー１２ｄが押されると、対象カテゴリがＣＡＭ→ＶＣＲ→ＭＰＸのように変化する。
【００８２】
この実施例における操作画面の切換え例を図１６に示す。図１６を参照して、当初、ＭＰＸ１８ａ（アドレス：０００）を操作中であり、ＬＣＤ１２ｓにはＭＰＸ１８ａの操作画面が表示されている。このときカメラ１６ｂでアラームが検出されたとすると、カメラ１６ｂからの状態変化通知信号を受け、ＬＣＤ１２ｓの表示内容がＭＰＸ１８ａの操作画面からカメラ１６ａの操作画面に切り換わる。ユーザは、カメラ１６ａを操作したい場合、ここでセットキー１２ｒを押し、コマンド入力に移ればよい。
【００８３】
カメラ１６ｂの操作画面に切り換え後、下カーソルキー１２ｐが押されると、ＬＣＤ１２ｓは、カメラ１６ｂの属するグループ（ＧＲ：０１）の操作画面に切り換わる。ここでセットキー１２ｒを押せば、ユーザは１回のコマンド入力により、カメラ１６ｂだけでなく、同じグループに属するカメラ１６ｅおよび１６ｈ，ＭＰＸ１８ｂ並びにＶＣＲ２０ｂも一括して操作することができる。
【００８４】
グループ操作画面に切り換え後、下カーソルキー１２ｐが押されると、ＬＣＤ１２ｓは、カメラ１６ｂと同じグループかつ同じカテゴリ（ＣＡＭ）に属する機器の操作画面に切り換わる。ここでセットキー１２ｒを押せば、ユーザは１回のコマンド入力により、カメラ１６ｂだけでなく、同じグループに属するカメラ１６ｅおよび１６ｈも一括して操作することができる。
【００８５】
グループ内カメラカテゴリ操作画面に切り換え後、モードキー１２ｄが押されると、ＬＣＤ１２ｓは、グループ内ＶＣＲカテゴリ操作画面に切り換わる。もう一度モードキー１２ｄが押されると、さらにグループ内ＭＰＸカテゴリ操作画面に切り換わる。所望のカテゴリ操作画面が表示されたときセットキー１２ｒを押せば、ユーザは、アラームの発生したカメラ１６ｂと同じグループで別のカテゴリに属する機器、すなわちＶＣＲ２０ｂやＭＰＸ１８ｂだけを操作することができる。
【００８６】
本実施例の割り込み処理が図１７および図１８に示されている。図１７を参照して、ステップＳ１０１〜Ｓ１２３は、図１２に示されたものと同様であり、説明を省略する。本実施例では、ステップＳ１１７とステップＳ１１９との間にステップＳ２０１が挿入される。ステップＳ２０１でコントローラ１２は、下カーソル（↓）キー１２ｐの押下の有無を判別する。
【００８７】
すなわち、ステップＳ１１７でメッセージを出力した後、下カーソルキー１２ｐの押下の有無が判別され、押されれば図１８に示すステップＳ２０３以降の処理が実行される。下カーソルキー１２ｐの押下がなければ、ステップＳ１１９〜Ｓ１２３の処理が実行される。ただし、ステップＳ１２３の判別結果が否定的である場合、ステップＳ１１９ではなくステップＳ２０１に戻る。
【００８８】
従ってユーザは、メッセージ確認後、コマンドキー１２ｅ〜１２ｍを操作すれば、通知元機器だけを制御することができる。通知元機器単独の制御が不要であれば、下カーソルキー１２ｐを押してグループ操作画面やグループ内特定カテゴリ操作画面を呼び出すか、あるいはクリアキー１２ｑを押して割り込み処理をキャンセルすることができる。通知元機器単独の制御を実行した後で下カーソルキー１２ｐを押せば、引き続きグループ単位またはカテゴリ単位での機器制御を行うこともできる。
【００８９】
図１８を参照して、ステップＳ２０３でコントローラ１２は、送信元機器を含むグループ操作画面をＬＣＤ１２ｓに表示する。そして、ステップＳ２０５で下カーソルキー１２ｐの押下の有無を、ステップＳ２０７でコマンドキー１２ｅ〜１２ｍの押下の有無を、それぞれ判別する。コマンドキー１２ｅ〜１２ｍのいずれかが操作されると、コントローラ１２はステップＳ２０９でブロードキャスト送信を行う。これによって、送信元機器および送信元機器と同一グループに属する機器だけが一括制御される。送信を終えると、割り込み処理を終了する。
【００９０】
下カーソルキー１２ｐが押されると、ステップＳ２１１でコントローラ１２は、送信元機器および送信元機器と同一グループかつ同一カテゴリに属する機器の一括操作画面をＬＣＤ１２ｓに表示する。そして、ステップＳ２１３でモードキー１２ｄの押下の有無を、ステップＳ２１７でコマンドキー１２ｅ〜１２ｍの押下の有無を、それぞれ判別する。コマンドキー１２ｅ〜１２ｍのいずれかが操作されると、コントローラ１２はステップＳ２１９でブロードキャスト送信を行う。これによって、送信元機器および送信元機器と同一グループかつ同一カテゴリに属する機器だけが一括制御される。送信を終えると、割り込み処理を終了する。
【００９１】
モードキー１２ｄが押されると、ステップＳ２１５で対象カテゴリを変更し、ステップＳ２１１に戻る。次いでコマンドキー１２ｅ〜１２ｍが押下されれば、送信元機器と同一グループかつ別カテゴリに属する機器だけが一括制御される。
【００９２】
この実施例によれば、前述の実施例と同様の効果に加え、次のような効果が得られる。別機器の操作画面に切り換え後、下カーソルキー１２ｐを一押しすれば画面がグループ操作画面に切り換わるので、状態変化が生じた機器だけでなく同じグループに属する機器も一括して操作したいとき、これらの機器の各々について操作画面を呼び出すためにカテゴリコードやアドレスデータを入力する手間が省ける。
【００９３】
さらに、グループ操作画面に切り換え後、下カーソルキー１２ｐを一押しすれば画面がグループ内特定カテゴリ操作画面に切り換わるので、状態変化が生じた機器と同じグループでかつ同じカテゴリに属する機器だけを一括操作したいとき、これらの機器の各々について操作画面を呼び出すためにカテゴリコードやアドレスデータを入力する手間が省ける。
【００９４】
さらにまた、グループ内カテゴリ操作画面に切り換え後、モードキー１２ｄを押すことによって対象カテゴリを変更できるので、状態変化が生じた機器と同じグループでかつ別のカテゴリに属する機器だけを操作または一括操作したいとき、この機器またはこれらの機器の各々について操作画面を呼び出すためにカテゴリコードやアドレスデータを入力する手間が省ける。
【図面の簡単な説明】
【００９５】
【図１】この発明の一実施例を示すブロック図である。
【図２】コントローラを示す図解図である。
【図３】ＬＣＤの表示内容の一例を示す図解図である。
【図４】ＬＣＤの表示内容の他の例を示す図解図である。
【図５】ＬＣＤの表示内容のその他の例を示す図解図である。
【図６】ＬＣＤの表示内容のさらにその他の例を示す図解図である。
【図７】ＬＣＤの表示内容の他の例を示す図解図である。
【図８】コントローラの動作の一部を示すフロー図である。
【図９】コントローラの動作の他の一部を示すフロー図である。
【図１０】コントローラの動作のその他の一部を示すフロー図である。
【図１１】コントローラの動作のさらにその他の一部を示すフロー図である。
【図１２】コントローラの動作の他の一部を示すフロー図である。
【図１３】コントローラの動作のその他の一部を示すフロー図である。
【図１４】カメラ，マルチプレクサおよびＶＣＲの動作の一部を示すフロー図である。
【図１５】カメラ，マルチプレクサおよびＶＣＲの動作の他の一部を示すフロー図である。
【図１６】他の実施例におけるＬＣＤの表示内容の一例を示す図解図である。
【図１７】他の実施例におけるコントローラの動作の一部を示すフロー図である。
【図１８】他の実施例におけるコントローラの動作の他の一部を示すフロー図である。
【符号の説明】
【００９６】
１０  …映像記録システム
１２  …コントローラ
１２ｔ  …レジスタ
１２ｕ  …メモリ
１４  …バス
１６ａ〜１６ｍ  …カメラ
１８ａ〜１８ｃ  …マルチプレクサ
２０ａ〜２０ｃ  …タイムラプスＶＣＲ
【図１】
2005151197.tif 000003
【図２】
2005151197.tif 000004
【図３】
2005151197.tif 000005
【図４】
2005151197.tif 000006
【図５】
2005151197.tif 000007
【図６】
2005151197.tif 000008
【図７】
2005151197.tif 000009
【図８】
2005151197.tif 000010
【図９】
2005151197.tif 000011
【図１０】
2005151197.tif 000012
【図１１】
2005151197.tif 000013
【図１２】
2005151197.tif 000014
【図１３】
2005151197.tif 000015
【図１４】
2005151197.tif 000016
【図１５】
2005151197.tif 000017
【図１６】
2005151197.tif 000018
【図１７】
2005151197.tif 000019
【図１８】
2005151197.tif 000020